(57)【要約】【課題】容易に部分的な高さ調整ができる枕を提供する。【解決手段】枕１は、緩衝機能を有する本体部１０と、前記本体部１０の底面と略同一の大きさの面を有するシート２０と、を備え、前記シート２０は、前記本体部１０の底面に当接するように設けられ、前記シート２０には、前記シート２０を分割可能なミシン目が形成される。【選択図】図１
2018175634.tif 000002
【特許請求の範囲】
【請求項１】
緩衝機能を有する本体部と、
前記本体部の底面と略同一の大きさの面を有するシートと、を備え、
前記シートは、前記本体部の底面に当接するように設けられ、
前記シートには、前記シートを分割可能なミシン目が形成される
枕。
【請求項２】
互いに当接する前記本体部及び前記シートの表面は、相対移動が抑制される構成とされている
請求項１に記載の枕。
【請求項３】
前記シートは、複数設けられ、
複数の前記シートは、互いに厚さが異なる
請求項１又は２に記載の枕。
【発明の詳細な説明】
【技術分野】
【０００１】
本発明は、高さ調整可能な枕に関する。
【背景技術】
【０００２】
従来から、使用者の好みや体型に応じて、高さ調整可能な枕が知られている。例えば、特許文献１には、充填材が出し入れ可能な複数の隔室と、当該隔室全体の底面と略同一の大きさの面を有する高さ調整板と、を備える枕が開示されている。
【先行技術文献】
【特許文献】
【０００３】
【特許文献１】特開２０１６−１０６９０８号公報
【発明の概要】
【発明が解決しようとする課題】
【０００４】
しかし、上記のような枕においては、高さ調整板では、部分的な高さの調整ができない。また、各隔室の充填材を用いて高さ調整を行う場合には、ファスナーの開閉や、充填材の出し入れが必要になり、手間がかかる点について、改善の余地が残されていた。
【０００５】
本発明はこうした実情に鑑みてなされたものであり、その目的は、容易に部分的な高さ調整ができる枕を提供することにある。
【課題を解決するための手段】
【０００６】
上記の課題を解決する枕は、緩衝機能を有する本体部と、前記本体部の底面と略同一の大きさの面を有するシートと、を備え、前記シートは、前記本体部の底面に当接するように設けられ、前記シートには、前記シートを分割可能なミシン目が形成される。
【０００７】
上記構成によれば、シートを本体部の底面に当接するように設けることで、枕の高さを調整できる。このとき、ミシン目に沿ってシートを分割することで、枕の部分的な高さ調整ができる。したがって、容易に部分的な高さ調整ができる。
【０００８】
また、上記枕において、互いに当接する前記本体部及び前記シートの表面は、相対移動が抑制される構成とされていることが好ましい。
【０００９】
上記構成によれば、本体部及びシートの相対移動が抑制されるため、シートによって部分的に高さ調整された本体部の位置を保持できる。
【００１０】
また、上記枕において、前記シートは、複数設けられ、複数の前記シートは、互いに厚さが異なることが好ましい。
【００１１】
上記構成によれば、複数のシートを用いることで、枕の高さを調整できる。また、複数のシートの厚さが互いに異なるため、複数のシートの組み合わせによって、細かい厚さの調整ができる。
【図面の簡単な説明】
【００１２】
【図１】（ａ）一実施形態に係る枕の上面図、（ｂ）側面図。
【図２】（ａ）上記枕におけるシートの上面図、（ｂ）側面図。
【図３】（ａ）上記枕における第１シートのみ使用する場合の側面図、（ｂ）第２シートのみ使用する場合の側面図、（ｃ）シートを使用しない場合の側面図。
【図４】上記枕におけるシートの中央部が切り取られた状態の上面図。
【図５】上記枕におけるシートの長手方向における中央が切り取られた状態の上面図。
【発明を実施するための形態】
【００１３】
以下、高さ調整可能な枕の一実施形態について、図面を参照しつつ説明する。
【００１４】
図１に示すように、枕１は、緩衝機能を有する本体部１０と、枕１の高さを調整するシート２０と、本体部１０とシート２０とを覆うカバー３０と、を備える。
【００１５】
図１に示すように、本体部１０は、略直方体をなしている。本体部１０は、図示しない内カバーで覆われている。本体部１０の内カバーは、例えばポリエステルからなるニット生地で形成されている。
【００１６】
図２に示すように、シート２０は、略板状をなしている。シート２０は、厚さ方向から見たときの両面の形状及び大きさが、本体部１０を厚さ方向から見たときの片面（底面）の形状及び大きさと略同一となるように形成される。シート２０は、発泡ウレタンからなる。シート２０は、厚さの異なる第１シート２０１及び第２シート２０２を有する。第１シート２０１の厚さは、例えば０．５ｃｍであり、第２シート２０２の厚さは、例えば１．０ｃｍである。
【００１７】
また、シート２０には、シート２０の厚さ方向にミシン目２１が貫通形成される。シート２０は、ミシン目２１に沿って分割可能となっている。
【００１８】
ミシン目２１は、シート２０の短手方向に沿って形成される第１ミシン目２１１及び第２ミシン目２１２と、シート２０の長手方向に沿って形成される第３ミシン目２１３及び第４ミシン目２１４と、を有する。第１ミシン目２１１及び第２ミシン目２１２は、シート２０の長手方向における両端から離間した位置に形成される。また、第１ミシン目２１１及び第２ミシン目２１２は、シート２０の長手方向において、互いに離間した位置に形成される。そして、第１ミシン目２１１及び第２ミシン目２１２は、シート２０の短手方向における一方の端部から他方の端部にかけて形成される。
【００１９】
一方、第３ミシン目２１３及び第４ミシン目２１４は、シート２０の短手方向における両端から離間した位置に形成される。また、第３ミシン目２１３及び第４ミシン目２１４は、シート２０の短手方向において、互いに離間した位置に形成される。そして、第３ミシン目２１３及び第４ミシン目２１４は、第１ミシン目２１１から第２ミシン目２１２にかけて形成される。したがって、シート２０は、ミシン目２１によって、最大５つに分割可能となっている。
【００２０】
なお、これらのミシン目２１は、第１シート２０１及び第２シート２０２のそれぞれに形成されている。
【００２１】
次に、シート２０を用いて枕１の高さを調整するときの作用について説明する。
【００２２】
図１に示すように、枕１は、本体部１０及びシート２０が、互いの厚さ方向において当接するように配置される。すなわち、シート２０は、本体部１０の底面に当接する。また、本体部１０及びシート２０がカバー３０で覆われるように構成される。このとき、枕１は、シート２０が床面に対向し、本体部１０が使用者の頭部に対向するように設置される。
【００２３】
なお、枕１は、使用者が仰向けに寝る場合には、枕１の長手方向における中央に使用者の後頭部が当接し、使用者が横向きに寝る場合には、枕１の長手方向における外側に使用者の側頭部が当接するように使用される。
【００２４】
図１及び図３に示すように、第１シート２０１及び第２シート２０２をともに用いる場合には、枕１の高さが１．５ｃｍ上昇する。一方、第１シート２０１のみ用いる場合には、枕１の高さが０．５ｃｍ上昇し、第２シート２０２のみ用いる場合には、枕１の高さが１．０ｃｍ上昇する。したがって、シート２０を用いない状態も含めて、第１シート２０１及び第２シート２０２によって、枕１の高さが４段階に調整される。こうして、枕１の高さがシート２０によって調整される。
【００２５】
また、ミシン目２１に沿って分割されたシート２０を、本体部１０の厚さ方向に重ねることで、枕１の高さが部分的に調整される。
【００２６】
例えば、図２に示すように、シート２０における第１ミシン目２１１、第２ミシン目２１２、第３ミシン目２１３及び第４ミシン目２１４に囲まれた部分を中央部２２としたときに、図４に示すように、中央部２２が切り取られたシート２０を用いることで、本体部１０におけるシート２０の中央部２２に当接する部位が沈みやすくなる。こうして、使用者が仰向けに寝ている場合に、枕１における使用者の後頭部が当接する部位の高さが、他の部位より低くなるように調整される。
【００２７】
また、ミシン目２１に沿って中央部２２のみ切り取ることで、シート２０の中央部２２以外の部位が連結されたままの状態にできる。その結果、シート２０の形状が崩れにくくなるため、枕１におけるシート２０によって高さが調整される部位が保持されやすい。
【００２８】
さらに、図５に示すように、第１ミシン目２１１及び第２ミシン目２１２が分割されたシート２０の長手方向における両端側のみ用いることで、枕１の長手方向における両端側はシート２０によって高くなる一方で、中央が沈みやすくなる。したがって、使用者が仰向けに寝ている場合に、枕１における使用者の後頭部及び頸部が当接する部位の高さが、他の部位より低くなる。また、使用者が横向きに寝ている場合に、枕１における使用者の側頭部が当接する部位の高さが、他の部位より高くなるように調整される。
【００２９】
また、シート２０を分割して枕１の高さを部分的に調整する場合、第１シート２０１又は第２シート２０２の一方のみ分割する場合も含めて、４段階の部分的な高さ調整を行うことができる。
【００３０】
なお、本体部１０の内カバー及びシート２０は、互いに相対移動しにくい素材からなる。すなわち、本体部１０及びシート２０の表面は、相対移動が抑制される構成となっているため、本体部１０及びシート２０の相対位置が保持される。
【００３１】
上述した実施形態によれば、以下に示す効果を得ることができる。
【００３２】
（１）シート２０を本体部１０の底面に当接するように設けることで、枕１の高さを調整できる。このとき、ミシン目２１に沿ってシート２０を分割することで、枕１の部分的な高さ調整ができる。したがって、容易に枕１の部分的な高さ調整ができる。
【００３３】
（２）本体部１０及びシート２０の相対移動が抑制されるため、シート２０によって部分的に高さ調整された本体部１０の位置を保持できる。
【００３４】
（３）複数のシート２０を用いることで、枕１の高さ調整ができる。また、複数のシート２０の厚さが互いに異なるため、複数のシート２０の組み合わせによって、細かい厚さの調整ができる。
【００３５】
以下に、上述した実施形態の別の実施形態を説明する。
【００３６】
・シート２０は１枚であってもよいし、３枚以上であってもよい。シート２０が複数設けられる場合、複数のシート２０は、互いに異なる厚さであってもよいし、全て同じ厚さであってもよい。また、複数のシート２０は、厚さが同じシート２０と異なるシート２０が混在していてもよい。
【００３７】
・本体部１０の内カバー及びシート２０は、相対移動が抑制される素材によって形成されなくてもよい。例えば、本体部１０及びシート２０の表面に凹凸が形成されており、当該凹凸によって、本体部１０とシート２０との相対移動が抑制される構成となっていてもよい。また、本体部１０の内カバー及びシート２０のうち一方に突出部が形成され、他方に突出部に対応する溝や孔が形成され、突出部が溝や孔に差し込まれることによって、本体部１０とシート２０との相対移動が抑制される構成となっていてもよい。
【００３８】
・ミシン目２１が形成される数及び位置は、上記実施形態に限らなくてよい。例えば、ミシン目２１は、シート２０の短手方向及び長手方向に１つのみ、又は３つ以上形成されていてもよい。また、ミシン目２１は、シート２０の長手方向における一端から他端にかけて形成されていてもよい。
【００３９】
・本体部１０が床面側に配置され、シート２０が使用者の頭部側に配置されてもよい。
【００４０】
・シート２０における本体部１０の底面と略同一の大きさ及び形状の面は、シート２０の厚さ方向における片面のみでもよい。また、シート２０は、厚さ方向から見たときの大きさのみ本体部１０の底面と略同一であり、形状は異なっていてもよい。
【符号の説明】
【００４１】
１：枕
１０：本体部
２０：シート
２０１：第１シート
２０２：第２シート
２１：ミシン目
２１１：第１ミシン目
２１２：第２ミシン目
２１３：第３ミシン目
２１４：第４ミシン目
２２：中央部
３０：カバー
【図１】
2018175634.tif 000003
【図２】
2018175634.tif 000004
【図３】
2018175634.tif 000005
【図４】
2018175634.tif 000006
【図５】
2018175634.tif 000007